(57)【要約】【課題】  複数のアンテナポートで通信する無線通信システムで基地局が細かく配置された場合でも、稼働の増加を抑えて環境に応じた適切なアンテナポート構成を実現する。【解決手段】  基地局装置にて、単体のアンテナ素子あるいは複数のアンテナ素子のグループにより構成される複数のアンテナポート構成のそれぞれに対応したパターンで、各アンテナポートから参照信号を送信し、前記パターンごとに前記参照信号を受信した移動局からのフィードバック情報に基づいて、前記基地局装置でアンテナポートを構成するアンテナ素子を決定する。【選択図】図１
2015033097.tif 000002
【特許請求の範囲】
【請求項１】
無線通信システムにおいて、
基地局装置は、単体のアンテナ素子あるいは複数のアンテナ素子のグループにより構成される複数のアンテナポート構成を有し、前記複数のアンテナポート構成のそれぞれに対応したパターンで、各アンテナポートから参照信号を送信することを特徴とする無線通信システム。
【請求項２】
移動局装置は、前記パターンごとに前記参照信号を受信して基地局にフィードバック情報を送信し、
前記基地局装置は、前記フィードバック情報を元に、アンテナポートを構成するアンテナ素子を決定する、
ことを特徴とする請求項１に記載の無線通信システム。
【請求項３】
前記基地局装置は、前記参照信号を、前記複数のアンテナポート構成の各々に対応して異なるサブフレームオフセットで送信することを特徴とする請求項１に記載の無線通信システム。
【請求項４】
前記移動局装置は、前記参照信号を、前記異なるサブフレームオフセットごとに受信して、最適なアンテナポート構成情報を含む前記フィードバック情報を生成することを特徴とする請求項３に記載の無線通信システム。
【請求項５】
前記基地局装置は、前記参照信号を、前記複数のアンテナポート構成の各々に対応して異なる周波数で送信することを特徴とする請求項１に記載の無線通信システム。
【請求項６】
前記移動局装置は、前記参照信号を、前記異なる周波数ごとに受信して、最適なアンテナポート構成情報を含む前記フィードバック情報を生成することを特徴とする請求項５に記載の無線通信システム。
【請求項７】
基地局装置にて、単体のアンテナ素子あるいは複数のアンテナ素子のグループにより構成される複数のアンテナポート構成のそれぞれに対応したパターンで、各アンテナポートから参照信号を送信し、
前記パターンごとに前記参照信号を受信した移動局からのフィードバック情報に基づいて、前記基地局装置でアンテナポートを構成するアンテナ素子を決定する
ことを特徴とするアンテナ構成決定方法。
【請求項８】
前記参照信号を、前記複数のアンテナポート構成の各々に対応して異なるサブフレームオフセットで送信することを特徴とする請求項７に記載のアンテナ構成決定方法。
【請求項９】
前記参照信号を、前記複数のアンテナポート構成の各々に対応して異なる周波数で送信することを特徴とする請求項７のアンテナ構成決定方法。
【発明の詳細な説明】
【技術分野】
【０００１】
本発明は、複数のアンテナポートを用いて通信を行う無線通信システムと、アンテナ構成決定方法に関する。
【背景技術】
【０００２】
近年のスマートフォン等の普及に伴い、基地局容量の不足が課題のひとつになっている。容量不足を解決する手段として、小型の基地局を多数配置するスモールセル構成の基地局構成が検討されており、今後普及していくことが予想される。
【０００３】
容量向上の手段として、垂直方向に配置されたアンテナ素子を有するアクティブアンテナを用いたシステム（ＡＡＳ：Active Antenna System）が検討されている。垂直ビームフォーミングにより、垂直方向にセクタ化（基地局に近いセクタと遠いセクタに分割）を行って、キャパシティを向上することができる。
【０００４】
また、水平及び垂直方向にアンテナ素子を立体配置した３Ｄ−ＭＩＭＯ（Multiple Input Multiple Output）の実用化が検討されている。ＭＩＭＯシステムでは、アンテナブランチ間の相関は環境に依存する部分があるため、同じアンテナを配置しても環境によって相関が異なる。たとえば、同じアンテナ配置構成を採用しても、都市部など反射が大きい場合は、電波の角度広がり(到来角度範囲の分布)が広くなりアンテナブランチ間の相関は低くなる。高品質なエリアを作るには、それぞれの環境に応じて最適なアンテナ構成を決定しそれを満たすアンテナを設置する必要がある。
【発明の概要】
【発明が解決しようとする課題】
【０００５】
ＡＡＳや３Ｄ−ＭＩＭＯなどのアンテナを設置する場合に、基地局を細かく配置した場合にも稼動の増加なく環境に応じたアンテナポート構成を実現できる無線通信システムを提供する。
【課題を解決するための手段】
【０００６】
上記課題を解決するために、無線通信システムにおいて、基地局装置は、単体のアンテナ素子あるいは複数のアンテナ素子のグループにより構成される複数のアンテナポート構成を有し、前記複数のアンテナポート構成のそれぞれに対応したパターンで、各アンテナポートから参照信号を送信する。
【発明の効果】
【０００７】
基地局を細かく配置した場合にも稼動の増加なく環境に応じたアンテナポート構成を実現できる。
【図面の簡単な説明】
【０００８】
【図１】実施形態のアンテナ相関制御方法のフローチャートである。
【図２】アンテナポート構成に応じた参照信号の配置パターンの例を示す図である。
【図３】アンテナポート構成のひとつの例を示す図である。
【図４】アンテナポート構成の別の例を示す図である。
【図５】アンテナポート構成のさらに別の例を示す図である。
【図６】実施形態の基地局装置を概略ブロック図である。
【図７】実施形態の移動局装置の概略ブロック図である。
【図８】アンテナポート構成のさらに別の例を示す図である。
【図９】アンテナポート構成に応じた参照信号の配置パターンの別の例を示す図である。
【発明を実施するための形態】
【０００９】
図１は、実施形態のアンテナ構成決定方法のフローチャートである。このアンテナ構成決定方法が適用される無線通信システムでは、無線基地局は複数のアンテナ素子を配置したアレイアンテナを有する。無線基地局は、通信環境、ランク、ユーザ多重数などに応じて、アンテナ素子を単体としてアンテナポートとして用いる、あるいは複数のアンテナ素子をグループ化してアンテナポートとするなど、最適なアンテナポート構成を実現する。
【００１０】
以下の例では、無線通信システムとしてＬＴＥ（Long Term Evolution）システムを例にとり、無線基地局をｅＮＢ（evolved Node B）、移動局をＵＥ（User Equipment）と称して説明する。
【００１１】
まず、ｅＮＢはアンテナポートごと、所定の周波数単位ごとに、所定の時間間隔で、参照信号を送信する（Ｓ１０１）。周波数単位は、たとえば連続する所定数のサブキャリアで構成される周波数単位である。所定の時間間隔は参照信号の種類によって異なる。参照信号は、たとえばＣＳＩ−ＲＳ（Channel State Information Reference Signal：チャネル状態情報用の参照信号）であるが、これに限定されない。以下では、ＣＳＩ−ＲＳを例にとって説明する。
【００１２】
ひとつの実施形態では、ＣＳＩ−ＲＳオフセットごとにアンテナポート構成を割り当ててＣＳＩ−ＲＳを各アンテナポートから送信する。
【００１３】
図２は、アンテナポート構成に対応するＣＳＩ−ＲＳオフセットの例を示す。図２（ａ）は所定のサブフレーム中にＣＳＩ−ＲＳが多重されたＯＦＤＭシンボルを示す模式図、図２（ｂ）はＣＳＩ−ＲＳオフセットに対応したアンテナポート構成の例である。
【００１４】
ＣＳＩ−ＲＳオフセットは、ＣＳＩ−ＲＳが送信されるサブフレーム内で、ＣＳＩ−ＲＳの送信開始位置に付加されるオフセットである。図２の例では、ＣＳＩ−ＲＳの送信周期は５サブフレーム（５msec）である。アンテナポート構成＃ａで送信されるＣＳＩ−ＲＳの配置パターン＃ａは、第１のサブフレームオフセットを有する。アンテナポート構成＃ｂで送信されるＣＳＩ−ＲＳの配置パターン＃ｂは、第２のサブフレームオフセットを有する。アンテナポート構成＃ｃに対応するＣＳＩ−ＲＳ配置パターン＃ｃは、第３のサブフレームオフセットを有する。ＣＳＩ−ＲＳの送信周期や、各オフセットインデックスは、たとえばＰＤＣＣＨでｅＮＢからＵＥに通知されてもよい。
【００１５】
図３は、第１のサブフレームオフセットに対応するアンテナポート構成＃ａを示す。ｅＮＢに設置されたアレイアンテナ１１は、垂直方向に１６、水平方向に２個のトータル３２個の物理アンテナ素子３１を含む。各アンテナ素子３１は水平偏波と垂直偏波に対応可能であり、機能的には、１６×２×２＝６４素子相当のアレイアンテナとなる。
【００１６】
アンテナポート構成＃ａでは、４素子×２偏波で１つのアンテナポートを構成し、全部で８つのアンテナポートが生成される。アレイアンテナ１１の左上に位置するアンテナポート＃１は、物理アンテナ素子＃１〜＃４の水平偏波と垂直偏波で構成される。同様に、アレイアンテナ１１の右上に位置するアンテナポート＃５は、物理アンテナ素子＃１７〜＃２０の水平偏波と垂直偏波で構成され、アレイアンテナ１１の左下のアンテナポート＃４や、右下のアンテナポート＃８も同様に、それぞれが水平偏波と垂直偏波に対応する４つの物理アンテナ素子で構成される。
【００１７】
図２（ｂ）を参照して、物理アンテナ素子３１の配置間隔をｄとすると、アンテナポート構成＃ａは、垂直方向のポート間距離が４ｄ、水平方向のポート間距離がｄとなる。アンテナ素子間の間隔ｄは、たとえば送信波長λの半分である。
【００１８】
水平方向のユーザ間の角度が大きい場合、電波の到来角度が広く、水平方向のアンテナポート間の間隔が小さくても、アンテナポート間の相関が低く、ユーザ信号を適切に分離することができる。ユーザ間の距離が垂直方向（ｅＮＢからみて仰俯角方向あるいはセルの径方向）に十分に離れていない場合は、アンテナポート間の垂直方向の間隔を数波長以上に離すことで、アンテナポート間の相関を低くする。
【００１９】
図４は、第２のサブフレームオフセットに対応するアンテナポート構成＃ｂを示す。アンテナポート構成＃ｂは、アレイアンテナ１１の中央領域で垂直方向に隣接する２つの物理アンテナ素子３１の水平偏波及び垂直偏波で１つのアンテナポートを構成する。垂直方向の２素子×２偏波で１つのアンテナポートを構成し、全部で８つのアンテナポートが生成される。垂直方向のアンテナポート間の距離は２ｄ、水平方向のアンテナポート間の距離はｄである。
【００２０】
図４の例では、物理アンテナ素子＃５〜＃１２の水平偏波及び垂直偏波と、物理アンテナ素子＃２１から＃２８の水平偏波及び垂直偏波で、アンテナポート構成＃ｂが実現される。それ以外の物理アンテナ素子３１は使わなくてもよいし、別のブランチとして使用してもよい。
【００２１】
ｅＮＢからみて垂直方向のユーザ間距離がある程度離れていれば、アンテナポート間の垂直方向の間隔を、図３に比べて小さくしてもユーザ間を分離することができる。
【００２２】
図５は、第３のサブフレームオフセットに対応するアンテナポート構成＃ｃを示す。アンテナポート構成＃ｃは、アレイアンテナ１１の中央領域に位置する１つの物理アンテナ素子３１の水平偏波及び垂直偏波で１つのアンテナポートを構成する。１素子×２偏波で１つのアンテナポートを構成し、全部で８つのアンテナポートが生成される。アンテナポート間の距離は水平方向、垂直方向ともにｄである。物理アンテナ素子＃７〜＃１０と、物理アンテナ素子＃２３〜＃２６で、アンテナポート構成＃ｃを実現する。それ以外の物理アンテナ素子３１は使わなくてもよいし、別のブランチとして使用してもよい。
【００２３】
このように、ｅＮＢは複数の異なるアンテナポート構成を用意しておき、それぞれのアンテナポート構成を用いて、対応するサブフレームオフセット（ＣＳＩ−ＲＳオフセット）で、ＣＳＩ−ＲＳを送信する。
【００２４】
図１に戻って、ＵＥは、ｅＮＢからのＣＳＩ−ＲＳを、ＣＳＩ−ＲＳオフセットごとに受信し、下りチャネルの受信品質（ＣＱＩ：Channel Quality Indicator）、チャネル行列のランク（ＲＩ：Rank Indicator）を計算し、最適なアンテナポート構成インデックスを含むＣＳＩを生成する（Ｓ１０２）。
【００２５】
たとえば、ｅＮＢから到来するＣＳＩ−ＲＳを十分なＳＩＲ（信号対干渉比）や低いＢＥＲ（ビットエラーレート）で受信できたときは、アンテナポート間の相関が低く抑えられているとして、そのタイミングで受信したＣＳＩ−ＲＳに対応するアンテナ構成を選択する。ＵＥは、フィードバック用のＣＳＩを生成する際に、決定したアンテナポート構成のインデックスをＣＳＩに含めてもよい。
【００２６】
ＵＥはまた、決定したアンテナ構成とランクに応じた最適なプリコーディング行列を決定し、プリコーディング行列情報（ＰＭＩ：Precoding Matrix Indicator）をＣＳＩに含めてもよい。あるいは、受信したＣＳＩ−ＲＳからチャネルを推定し、チャネル推定値自体を通知情報としてもよい。
【００２７】
次に、ＵＥは生成したＣＳＩ情報あるいはチャネル推定値を上りリンクの制御チャネルにより、ｅＮＢに報告する（Ｓ１０３）。
【００２８】
次に、ｅＮＢは、ＵＥから受信したフィードバック情報から、アンテナポートを構成するアンテナ素子、ＭＩＭＯ多重数、及びプリコーディングウエイトを決定する（Ｓ１０４）。これにより、アンテナポート間の最適な相関が決定される。
【００２９】
次に、ｅＮＢは、決定したアンテナポート構成、ＭＩＭＯ多重数、及びプリコーディングウエイトに従って、下り信号を送信する（Ｓ１０５）。決定されたアンテナポート構成を実現するために、ｅＮＢは、各アンテナ素子に対し、ポートのマッピングをリソースごとに設定する。ＣＳＩ−ＲＳが付加された後の送信信号ｘiに対して、ＣＲＳ（Cell-specific Reference Signal：セル固有参照信号）、ＤＭＲＳ（Demodulation Reference Signal：復調用参照信号）、ＣＳＩ−ＲＳ、制御信号、ＵＥ１へのＰＤＳＣＨ（Physical Downlink Shared Channel：物理下りリンク共有チャネル）、ＵＥ２へのＰＤＳＣＨ、ＳＲＳ（Sounding Reference Signal），ＰＢＣＨ（Physical Broadcast Channel：物理報知チャネル）などのリソースごとに指定したＮA×ＮE複素行列Ｓiを乗算する（ｙi＝Ｓi×ｘi）。ここで、ＮAはアンテナポート数、ＮEはアンテナ素子数、ｉはサブキャリアのインデックス番号である。
【００３０】
このように、ｅＮＢの各アンテナポートから、異なるＣＳＩ−ＲＳオフセットでＣＳＩ−ＲＳを送信し、ＵＥからのフィードバック情報を受け取ることで、ｅＮＢは最適なアンテナ構成を決定し、演算量の増大を防止しつつアンテナ相関を制御することができる。
【００３１】
図６は、実施形態の基地局装置（ｅＮＢ）１０の概略ブロック図である。各ユーザへの送信データは、チャネル符号化部２７ａによるチャネル符号化と、データ変調部２７ｂによるデータ変調を受ける。各ユーザデータのチャネル符号化率と変調方式は、アンテナポート構成決定部２３で決定されたアンテナポート構成やＭＩＭＯ多重数に基づいて、ＭＩＭＯ切換部２４により決定される。
【００３２】
チャネル符号化及びデータ変調を受けた送信データは、参照信号、報知信号、システム情報等とともに、サブキャリアマッピング部２８に入力され、サブキャリアにマッピングされる。
【００３３】
マッピングされた各送信データは、プリコーディング乗算部２９で、プリコーディングウエイトが乗算され、アンテナポートごとに重み付け（振幅及びまたは位相の調整）がされる。送信信号へのプリコーディングウエイトの適用は、アンテナポート構成決定部２３で決定されたプリコーディングウエイトに従って、プリコーディングウエイト制御部により制御される。
【００３４】
重み付けされた各ユーザの送信信号はマルチプレクサ（ＭＵＸ）３０で合成され、アンテナ部１２1〜１２mごとの送信信号が生成される。
【００３５】
アンテナ素子／ポート制御部２６は、アンテナポート構成決定部２３により決定されたアンテナポート構成に従って、アレイアンテナ１１のアンテナ素子のグルーピングを制御し、送信信号を最適なアンテナポート構成で送信できるようにする。
【００３６】
送信信号は、ＩＦＦＴ部３１による逆フーリエ変換、サイクリックプレフィックス（ＣＰ）付加部３２によるサイクリックプレフィックスの付加、ＲＦ送信回路３３での周波数変換を経て、デュプレクサ１３から対応するアンテナ部（アンテナ素子）１２に供給され下りリンクでＵＥに送信される。
【００３７】
各ＵＥからの上りリンク信号は、アレイアンテナ１１の各アンテナ部１２で受信され、デュプレクサを介して対応するＲＦ受信回路１３に入力される。ＲＦ受信回路１３でベースバンドへの周波数変換、サイクリックプレフィックス（ＣＰ）除去部１５でサイクリックプレフィックスの除去、ＦＦＴ部１６による高速フーリエ変換を経て、データチャネル信号分離部１７で各ユーザ信号に分離される。各ユーザの信号のうち、データチャネル信号はデータ復調部１８で復調され図示しない復号部で復号されて受信データが得られる。
【００３８】
チャネル推定部２０は、信号分離部１７で分離された各ユーザの参照信号（たとえばサウンディング参照信号ＳＲＳ）を用いて、チャネル推定を行う。制御チャネル復調部２１は、チャネル推定部２０で得られたチャネル推定値を用いて制御チャネルを復調する。ＣＳＩ情報更新部２２は、制御チャネルから当該ユーザのＣＳＩを取り出して更新する。更新後のＣＳＩ情報はアンテナポート構成決定部２３に入力される。
【００３９】
このＣＳＩ情報には、ＵＥが決定したアンテナ構成情報が含まれていてもよいし、ＵＥが算出したチャネル推定値自体が含まれていてよい。
【００４０】
アンテナポート構成決定部２３は、更新後のＣＳＩに含まれる情報に基づいてアンテナポートを構成するアンテナ素子のグルーピングを決定するとともに、ユーザ多重数とプリコーディングウエイトを決定する。ユーザ多重数はチャネル品質情報とともにＭＩＭＯ切り換え部２４に供給される。プリコーディングウエイトはプリコーディングウエイト制御部２５に供給される。アンテナポート構成はアンテナ素子／ポート制御部２６に供給される。
【００４１】
アンテナポート構成決定部２３とアンテナ素子／ポート制御部２６により、アレイアンテナ１１のアンテナ素子数が非常に多い場合でも、変動する無線環境に応じて適切なアンテナポート構成を設定し、ユーザデータを送信することができる。
【００４２】
図７は、移動局装置４０の概略構成図である。ｅＮＢ１０から送信された信号は、移動局装置４０のアンテナ４１の各アンテナ部４２1〜４２mで受信され、対応するデュプレクサ４３を介してＲＦ受信回路４４に入力され、ベースバンド信号に変換される。サイクリックプレフィクス（ＣＰ）除去部４５でＣＰが除去され、ＦＦＴ部４６で高速フーリエ変換を受けた後、データチャネル信号分離部４２で受信信号の中からこの移動局装置４０に宛てられた信号が取り出される。分離された受信信号のうち、データチャネル信号はデータ復調部４８で復調され、後段で復号されて受信データが取り出される。
【００４３】
ＣＳＩ−ＲＳオフセットごとに受信されたＣＳＩ−ＲＳは、チャネル推定部５０に入力され、ＣＳＩ−ＲＳオフセットごとにチャネル推定が行われる。制御チャネル復調部５１は、各チャネル推定値を用いて移動局装置４０宛ての制御信号を復調する。チャネル品質測定部５２は、復調された制御信号に基づいて下りチャネルの受信品質を求める。
【００４４】
アンテナポート構成選択部５３は、チャネル品質の測定結果に基づいて、最良のアンテナポート構成を選択する。また、チャネル行列のランクを計算し、プリコーディング行列を選択する。
【００４５】
ＣＳＩフィードバック信号生成部５５は、チャネル品質情報（ＣＱＩ）、アンテナポート構成、プリコーディング行列（ＰＭＩ）、ランク情報（ＲＩ）含むＣＳＩを生成する。
【００４６】
移動局装置４０の上位レイヤで生成された送信データは、チャネル符号化部５７ａでチャネル符合化され、データ変調部５７ｂで変調される。チャネル符合化及びデータ変調された送信データは、参照信号とともに、サブキャリアマッピング部５８で、ｅＮＢから割り当てられたサブキャリアにマッピングされる。
【００４７】
マッピングされた送信データは、プリコーディング乗算部５９でプリコーディングウエイトが乗算され、アンテナポートごとの重み付けがされる。プリコーディングウエイトはｅＮＢから制御チャネルで通知され、復調された制御信号から取り出されてもよい。
【００４８】
送信データとフィードバック用のＣＳＩは、マルチプレクサ（ＭＵＸ）６０で合成されアンテナ部４２ごとの送信データが生成される。送信信号はアンテナ部４２ごとにＩＦＦＴ部６１による逆フーリエ変換、ＣＰ付加部６２によるサイクリックプレフィクスの付加、ＲＦ送信回路６３による無線周波数への変換を経て、デュプレクサ４３を介して各アンテナ部４２から送信される。
【００４９】
図８は、アンテナポート構成の別の例を示す図である。この例では、アレイアンテナ７１の物理アンテナ素子８１は、水平方向と垂直方向に１６ずつ配置される。各物理アンテナ素子８１は、水平偏波と垂直偏波に対応可能である。図８（Ａ）では、（４×４）素子×２偏波で１つのアンテナポート１２ａを形成し、合計１６のアンテナポート１２が形成される。物理理アンテナ素子８１間の距離をｄとすると、ポート間の間隔は垂直方向、水平方向ともに４ｄである。ＣＳＩ−ＲＳは、アンテナポート１２ａから、サブフレームオフセット＃ａで送信される。この場合のサブフレームオフセット＃ａは、図２（Ａ）のサブフレームオフセット＃ａと同じであっても、異なっていてもよい。
【００５０】
図８（Ｂ）は、アンテナポート構成＃ｂを示す。図８（Ｂ）では、（２×２）素子×２偏波で１つのアンテナポート１２ｂを形成し、合計１６のアンテナポート１２ｂが生成される。ポート間距離は垂直方向、水平方向ともに２ｄである。ＣＳＩ−ＲＳはアンテナポート１２ｂから、サブレームオフセット＃ｂで送信される。この場合のサブフレームオフセット＃ｂは、図２（Ａ）のサブフレームオフセット＃ｂと同じであっても、異なっていてもよい。なお、残りの物理アンテナ素子は使わなくてもよいし、別のブランチを構成してもよい。
【００５１】
図８（Ｃ）は、アンテナポート構成＃ｃを示す。図８（Ｃ）では、１素子×２偏波で１つのアンテナポート１２ｃを形成し、合計１６のアンテナポート１２ｃが生成される。ポート間距離は垂直方向、水平方向ともにｄである。ＣＳＩ−ＲＳはアンテナポート１２ｂから、サブレームオフセット＃ｃで送信される。この場合のサブフレームオフセット＃ｃは図２（Ａ）のサブフレームオフセット＃ｃと同じか、または異なる。
【００５２】
図８の構成でも、ＣＳＩ−ＲＳ等の参照信号をアンテナポート構成に応じたサブフレームオフセットで送信する。ＵＥ側では、ＣＳＩ−ＲＳオフセットごとにＣＳＩ−ＲＳを受信して、随時、適切なアンテナポート構成を選択することができる。
【００５３】
図９は、参照信号の別の配置例を示す図である。図２の例では、ＣＳＩ−ＲＳオフセットごとにアンテナポート構成を割当ていたが、ＣＳＩ−ＲＳが送信される周波数ごとに異なるアンテナポート構成を割り当てることもできる。この場合、ＵＥは周波数番号ごとに受信したＣＳＩ−ＲＳから、下りチャネルの受信品質およびチャネル行列のランクを計算し、最適な周波数番号、すなわちアンテナポート構成を選択する。
【００５４】
以上、特定の実施の形態に基づいて発明を説明したが、これらの例に限定されない。たとえば、ＣＳＩ−ＲＳは一定のサブフレーム周期で送信されるので、アンテナポート構成決定のためにはＣＳＩ−ＲＳを用いるのが有利であるが、その他の参照信号（ＤＭ−ＲＳ，ＣＲＳなど）を用いてもよい。また、アンテナポート構成の種類は上述した例に限定されず、より多くのアンテナポート構成から最適なポート間相関を選択してもよい。また、移動局は、チャネル推定値自体を基地局に返してもよい。その場合も、基地局は移動局からのフィードバックに基づいてアンテナポートを構成するアンテナ素子を決定することができる。アンテナポートは必ずしもグループ化された複数のアンテナ素子で構成される必要はなく、通信環境に応じて、アンテナ素子ごとにアンテナポートを設定してもよい。
【符号の説明】
【００５５】
１０  無線基地局装置
１１、７１  アレイアンテナ
１２1〜１２m  アンテナ部
１２ａ、１２ｂ、１２ｃ  アンテナポート
２３  アンテナポート構成決定部
２５  プリコーディングウエイト制御部
２６  アンテナ素子／ポート制御部
４０  ユーザ装置
４１1〜４２m  アンテナ部
５２  チャネル品質測定部
５３  アンテナポート構成選択部
５５  ＣＳＩフィードバック信号生成部
【図１】
2015033097.tif 000003
【図２】
2015033097.tif 000004
【図３】
2015033097.tif 000005
【図４】
2015033097.tif 000006
【図５】
2015033097.tif 000007
【図６】
2015033097.tif 000008
【図７】
2015033097.tif 000009
【図８】
2015033097.tif 000010
【図９】
2015033097.tif 000011